(57)【要約】【課題】視認性を低下させることなく、競技者及び観衆に対し有益な情報を表示できるタイム計測システム、表示制御システム及び表示盤を提供する。【解決手段】  競技者が計測地点を通過したことを示す計時信号を送出するスイッチと、トリガ信号に応答してタイム計測を開始してランニングタイムを出力し、計時信号を受け取った時点のランニングタイムを走破タイムとして取得し、計時信号に応答して計測地点を通過した競技者数をカウントしその数を走破タイムに対応した順位として取得し、タイム計測開始後最初の計時信号に応答してビハインドリーダタイムのカウントを開始し、走破タイムとビハインドリーダタイムと切り替えて付加情報として出力し、走破タイムを出力するときには走破タイムに対応した順位を順位情報として出力し、ビハインドリーダタイムを出力するときには最新の順位を順位情報として出力する制御手段を有する。【選択図】図１
2006119720.tif 000002
【特許請求の範囲】
【請求項１】
競技者が計測地点を通過したことを示す計時信号を送出するスイッチと、
トリガ信号に応答してタイム計測を開始してランニングタイムを出力し、前記計時信号に応答して前記計時信号を受け取った時点のランニングタイムを走破タイムとして取得し、前記計時信号に応答して計測地点を通過した競技者の数をカウントし当該計測地点を通過した競技者の数を前記走破タイムに対応した順位として取得し、タイム計測開始後最初の前記計時信号に応答してビハインドリーダタイムのカウントを開始し、前記走破タイムと前記ビハインドリーダタイムとを切り替えて付加情報として出力し、前記付加情報として前記走破タイムを出力するときには前記走破タイムに対応した順位を順位情報として出力し、前記付加情報として前記ビハインドリーダタイムを出力するときには最新の順位を前記順位情報として出力する、制御手段と、
前記制御手段にタイム計測を開始させるための前記トリガ信号を供給するトリガ手段と、
前記制御手段から供給された前記ランニングタイムを表示する第１の表示部と、前記制御手段から供給された前記順位情報を表示する第２の表示部と、前記制御手段から供給された前記付加情報とを表示する第３の表示部とを有する表示盤と、から構成される、
ことを特徴とするタイム計測システム。
【請求項２】
前記制御手段は、前記計時信号に応答し、前記計時信号を受け取ってから所定の時間が経過するまでの間、前記走破タイムを前記付加情報として出力し、前記所定の時間の経過後は前記ビハインドリーダタイムを前記付加情報として出力する、
ことを特徴とする請求項１に記載のタイム計測システム。
【請求項３】
競技者が計測地点を通過したことを示す計時信号を送出するスイッチと、
トリガ信号に応答してタイム計測を開始してランニングタイムを出力し、前記計時信号に応答して前記計時信号を受け取った時点のランニングタイムを走破タイムとして取得し、前記計時信号に応答して計測地点を通過した競技者の数をカウントし当該計測地点を通過した競技者の数を前記走破タイムに対応した順位として取得し、タイム計測開始後最初の前記計時信号に応答してビハインドリーダタイムのカウントを開始し、前記走破タイムと前記ビハインドリーダタイムとを切り替えて付加情報として出力し、前記付加情報として前記走破タイムを出力するときには前記走破タイムに対応した順位を順位情報として出力し、前記付加情報として前記ビハインドリーダタイムを出力するときには最新の順位を前記順位情報として出力する、制御手段と、
前記制御手段にタイム計測を開始させるための前記トリガ信号を供給するトリガ手段と、から構成される、
ことを特徴とする表示制御システム。
【請求項４】
前記制御手段は、前記計時信号に応答し、前記計時信号を受け取ってから所定の時間が経過するまでの間、前記走破タイムを前記付加情報として出力し、前記所定の時間の経過後は前記ビハインドリーダタイムを前記付加情報として出力する、
ことを特徴とする請求項３に記載の表示制御システム。
【請求項５】
ランニングタイムを表示する第１の表示部と、
順位情報を表示する第２の表示部と、
付加情報を表示する第３の表示部と、から構成される表示盤であって、
前記第３の表示部は、走破タイムとビハインドリーダタイムとを切り替えて付加情報として表示し、
前記第２の表示部は、前記第３の表示部が前記付加情報として前記走破タイムを表示するときには前記順位情報として前記走破タイムに対応した順位を表示し、前記第３の表示部が前記付加情報として前記ビハインドリーダタイムを表示するときには前記順位情報として最新の順位を表示する、
ことを特徴とする表示盤。
【請求項６】
競技者が計測地点を通過したことを示す計時信号を送出するスイッチと、
トリガ信号に応答してタイム計測を開始してランニングタイムを出力し、前記計時信号に応答して計測地点を通過した競技者の数をカウントし、タイム計測開始後最初の前記計時信号に応答してビハインドリーダタイムのカウントを開始し、当該ビハインドリーダタイムを含む付加情報と、最新の順位を含む順位情報とを出力する、制御手段と、
前記制御手段にタイム計測を開始させるための前記トリガ信号を供給するトリガ手段と、
前記制御手段から供給された前記ランニングタイムを表示する第１の表示部と、前記制御手段から供給された前記順位情報を表示する第２の表示部と、前記制御手段から供給された前記付加情報とを表示する第３の表示部とを有する表示盤と、から構成される、
ことを特徴とするタイム計測システム。
【発明の詳細な説明】
【技術分野】
【０００１】
本発明は、陸上競技等のタイムを計測するタイム計測システム、計測したタイムを表示する表示制御システム及び表示盤に関する。
【背景技術】
【０００２】
マラソン、トラック競技、駅伝等の陸上競技では、ゴール地点やチェックポイント等の計測地点付近に表示盤が設けられる。表示盤には、スタートからの経過時間（ランニングタイム）、走破タイム（ラップタイムやフィニッシュタイム）、順位等が表示され（例えば特許文献１の段落番号００２１参照）、競技者や観衆は各競技者のタイムや順位を知ることができる。
【特許文献１】特開平８−５７１０４号公報
【発明の開示】
【発明が解決しようとする課題】
【０００３】
しかしながら、ランニングタイム、順位、及び、走破タイムのみを表示する表示盤では、参加人数が多数の競技において、下位で計測地点を通過する競技者及び観衆は、トップの選手からの遅れ（ビハインドリーダタイム）等の有益な情報を得ることができず、このような情報を表示できる表示盤が望まれる。
その一方で、単に表示情報を増やすと、表示される文字が小さくなることや、情報が過多となることにより、視認性が低下する。
【０００４】
本発明は、上記実情に鑑みてなされたもので、視認性を低下させることなく、有益な情報を表示できるタイム計測システム、表示制御システム、及び、表示盤を提供することを目的とする。
【課題を解決するための手段】
【０００５】
本発明の第１の観点に係るタイム計測システムは、競技者が計測地点を通過したことを示す計時信号を送出するスイッチと、トリガ信号に応答してタイム計測を開始してランニングタイムを出力し、前記計時信号に応答して前記計時信号を受け取った時点のランニングタイムを走破タイムとして取得し、前記計時信号に応答して計測地点を通過した競技者の数をカウントし当該計測地点を通過した競技者の数を前記走破タイムに対応した順位として取得し、タイム計測開始後最初の前記計時信号に応答してビハインドリーダタイムのカウントを開始し、前記走破タイムと前記ビハインドリーダタイムとを切り替えて付加情報として出力し、前記付加情報として前記走破タイムを出力するときには前記走破タイムに対応した順位を順位情報として出力し、前記付加情報として前記ビハインドリーダタイムを出力するときには最新の順位を前記順位情報として出力する、制御手段と、前記制御手段にタイム計測を開始させるための前記トリガ信号を供給するトリガ手段と、前記制御手段から供給された前記ランニングタイムを表示する第１の表示部と、前記制御手段から供給された前記順位情報を表示する第２の表示部と、前記制御手段から供給された前記付加情報とを表示する第３の表示部とを有する表示盤と、から構成される、ことを特徴とする。
【０００６】
なお、ランニングタイムとは、タイム計測開始からの経過時間であると定義する。
また、ビハインドリーダタイムとは、第１位の競技者が計測地点を通過してからの経過時間であると定義する。
また、最新の順位とは、既に計測地点を通過した競技者の数であると定義する。
【０００７】
前記制御手段は、前記計時信号に応答し、前記計時信号を受け取ってから所定の時間が経過するまでの間、前記走破タイムを前記付加情報として出力し、前記所定の時間の経過後は前記ビハインドリーダタイムを前記付加情報として出力してもよい。
【０００８】
本発明の第２の観点に係る表示制御システムは、競技者が計測地点を通過したことを示す計時信号を送出するスイッチと、トリガ信号に応答してタイム計測を開始してランニングタイムを出力し、前記計時信号に応答して前記計時信号を受け取った時点のランニングタイムを走破タイムとして取得し、前記計時信号に応答して計測地点を通過した競技者の数をカウントし当該計測地点を通過した競技者の数を前記走破タイムに対応した順位として取得し、タイム計測開始後最初の前記計時信号に応答してビハインドリーダタイムのカウントを開始し、前記走破タイムと前記ビハインドリーダタイムとを切り替えて付加情報として出力し、前記付加情報として前記走破タイムを出力するときには前記走破タイムに対応した順位を順位情報として出力し、前記付加情報として前記ビハインドリーダタイムを出力するときには最新の順位を前記順位情報として出力する、制御手段と、前記制御手段にタイム計測を開始させるための前記トリガ信号を供給するトリガ手段と、から構成される、ことを特徴とする。
【０００９】
前記制御手段は、前記計時信号に応答し、前記計時信号を受け取ってから所定の時間が経過するまでの間、前記走破タイムを前記付加情報として出力し、前記所定の時間の経過後は前記ビハインドリーダタイムを前記付加情報として出力してもよい。
【００１０】
本発明の第３の観点に係る表示盤は、ランニングタイムを表示する第１の表示部と、順位情報を表示する第２の表示部と、付加情報を表示する第３の表示部と、から構成される表示盤であって、前記第３の表示部は、走破タイムとビハインドリーダタイムとを切り替えて付加情報として表示し、前記第２の表示部は、前記第３の表示部が前記付加情報として前記走破タイムを表示するときには前記順位情報として前記走破タイムに対応した順位を表示し、前記第３の表示部が前記付加情報として前記ビハインドリーダタイムを表示するときには前記順位情報として最新の順位を表示する、ことを特徴とする
【００１１】
本発明の第４の観点に係るタイム計測システムは、競技者が計測地点を通過したことを示す計時信号を送出するスイッチと、トリガ信号に応答してタイム計測を開始してランニングタイムを出力し、前記計時信号に応答して計測地点を通過した競技者の数をカウントし、タイム計測開始後最初の前記計時信号に応答してビハインドリーダタイムのカウントを開始し、ビハインドリーダタイムを含む付加情報と、最新の順位を含む順位情報とを出力する、制御手段と、前記制御手段にタイム計測を開始させるための前記トリガ信号を供給するトリガ手段と、前記制御手段から供給された前記ランニングタイムを表示する第１の表示部と、前記制御手段から供給された前記順位情報を表示する第２の表示部と、前記制御手段から供給された前記付加情報とを表示する第３の表示部とを有する表示盤と、から構成される、ことを特徴とする。
【発明の効果】
【００１２】
本発明のタイム計測システム及び表示制御システムは、走破タイムとビハインドリーダタイムとを切り替えて付加情報とする制御手段を有するため、視認性を低下させることなく、競技者及び観衆に対し有益な情報を表示できる。
また、本発明の表示盤は、走破タイムとビハインドリーダタイムとを切り替えて表示する表示部を有するため、視認性を低下させることなく、競技者及び観衆に対し有益な情報を表示できる。
【発明を実施するための最良の形態】
【００１３】
本発明を実施の形態について、図面を参照して説明する。
図１は、本実施の形態におけるタイム計測システム１のブロック図を示す。
タイム計測システム１は、スタートピストルＳＰと、トリガ手段としてのトリガ装置２と、スイッチとしてのグリップスイッチ３と、制御手段としての制御装置４と、表示盤５とから構成される。
【００１４】
スタートピストルＳＰは、制御装置４に接続され、引き金が引かれると、トリガ装置２にスタート信号を供給する。
【００１５】
トリガ装置２は、スタートピストルＳＰからのスタート信号に応答して、制御装置４にタイム計測開始のトリガとなるトリガ信号を供給する。
【００１６】
グリップスイッチ３は、第１のスイッチＧと第２のスイッチＲＥの２つの押ボタンを有する、手動のスイッチである。第１のスイッチＧは、競技者が計測地点を通過したときに計時員により押下される押ボタンである。また、第２のスイッチＲＥは、計時員が第１のスイッチＧを押しすぎたときに、カウント値を戻すために押下される押ボタンである。グリップスイッチ３は、第１のスイッチＧが押されると、それに応答して、制御装置４に後述する表示情報決定処理の実行等を指示する第１のパルス信号を送出し、第２のスイッチＲＥが押されると、それに応答して制御装置４に後述する着順カウンタ４５のカウント値を−１させることを指示する第２のパルス信号を送出する。
なお、本実施の形態では、グリップスイッチ３を１個だけ有するタイム計測システムを例に説明するが、本発明は複数のグリップスイッチ３を有する構成のタイム計測システムにも適用可能である。
【００１７】
制御装置４は、図２に示すように、入力部４１と、ＣＰＵ（Central Processing Unit）４２と、第１のタイムカウンタ４３と、第２のタイムカウンタ４４と、着順カウンタ４５と、セレクタ４６と、出力部４７と、メモリ４８と、記憶部４９とから構成される。
【００１８】
入力部４１は、コネクタ、レシーバ等から構成される。入力部４１には、トリガ装置２、及び、グリップスイッチ３が接続され、それぞれからの信号を受け取りＣＰＵ４２、第１のタイムカウンタ４３、第２のタイムカウンタ４４、及び、着順カウンタ４５に伝える。
【００１９】
ＣＰＵ４２は、記憶部４９に記憶されたプログラム等に基づいて、制御装置４の全体を制御する。例えば、ＣＰＵ４２は、後述する表示情報決定処理において、通常時はセレクタ４６に通常表示情報を選択させ、割込表示処理時は、割込表示情報（例えば、走破タイムとそれに対応した順位情報等）を決定して出力してセレクタ４６に当該割込表示情報を選択させる。
なお、割込表示情報とは、第１のパルス信号に応答してＣＰＵ４２が取得した走破タイムとその走破タイムに対応した順位情報からなる情報である。走破タイムは表示盤５の第３の表示部５３に表示される付加情報となり、走破タイムに対応した順位情報は第２の表示部５２に表示される順位情報となる。
また、通常表示情報とは、一番初めに計測地点を通過した競技者の通過タイムからの遅れ（ビハインドリーダタイム）とその時点までに計測地点を通過した最後の競技者の数（最新の順位）とからなる情報である。ビハインドリーダタイムは表示盤５の第３の表示部５３に表示される付加情報となり、最新の順位情報は第２の表示部５２に表示される順位情報となる。
【００２０】
第１のタイムカウンタ４３は、トリガ装置２からのトリガ信号に応答して、タイム計測、すなわち、スタート後の経過時間であるランニングタイムのカウントを開始する。第１のタイムカウンタ４３は、出力部４７を介して、カウント値を表示盤５に供給する。また、第１のタイムカウンタ４３は、ＣＰＵ４２からの要求に応じて、カウント値をＣＰＵ４２に供給する。
【００２１】
第２のタイムカウンタ４４は、タイム計測開始後、最初の第１のパルス信号に応答してカウントを開始し、カウント値をセレクタ４６に供給する。この第２のタイムカウンタ４４のカウント値は、一番初めに計測地点を通過した競技者（リーダ）の通過タイムからの遅れ（ビハインドリーダタイム）を示す。
【００２２】
着順カウンタ４５は、ＣＰＵ４２からの制御によりカウント値を変化させる。具体的には、ＣＰＵ４２は、第１のパルス信号を受け取ると、着順カウンタ４５のカウント値を＋１し、第２のパルス信号を受け取ると、着順カウンタ４５のカウント値を−１する。この着順カウンタ４５のカウント値は、既に計測地点を通過した競技者の数、すなわち、その最新の順位情報を示す。
なお、第２のパルス信号によって着順カウンタ４５のカウント値を−１するのは、例えば、計時員が誤って多く第１のスイッチＧを押したときにカウント値を修正する場合である。
【００２３】
セレクタ４６は、第２のタイムカウンタ４４のカウント値と着順カウンタ４５のカウント値とからなる通常表示情報と、ＣＰＵ４２からの割込表示情報と、を受け取り、ＣＰＵ４２からの制御により、通常表示情報と割込表示情報のいずれかを選択し、選択した表示情報を出力部４７に供給する。
【００２４】
出力部４７は、符号回路、レベル変換回路、ドライバ等から構成され、第１のタイムカウンタ４３及びセレクタ４６から受け取った情報を、表示盤５が受け取れる形式に変換し、表示盤５に供給する。
【００２５】
メモリ４８は、ＲＡＭ（Random Access Memory）等から構成され、ＣＰＵ４２の演算処理に必要な情報を一時的に記憶するワークスペースとなる。例えば、メモリ４８は、後述する表示情報決定処理において割込表示中であることを示す割込中フラグや、割込表示情報を表示する期間を定義する設定値であるＮ（例えば４秒）を記憶する。
【００２６】
記憶部４９は、ＲＯＭ（Read Only Memory）や不揮発性のメモリ等からなり、ＣＰＵ４２が実行するプログラム等を記憶する。例えば、記憶部４９は、後述する表示情報決定処理を規定するプログラムを記憶する。
【００２７】
図１に戻って、表示盤５は、制御装置４から供給される情報を受け取って、これを表示する。具体的には、図３に示すように、表示盤５は、第１の表示部５１と、第２の表示部５２と、第３の表示部５３とから構成される。第１から第３の各表示部（５１−５３）は、ＬＥＤ、磁気反転素子、液晶表示素子等の表示素子と表示制御回路とから構成される。
第１の表示部５１は、制御装置４の第１のタイムカウンタ４３がカウントするランニングタイムを出力部４７を介して受け取り、常時これを表示する。
第２の表示部５２は、制御装置４のセレクタ４６が選択した順位情報を出力部４７を介して受け取り、通常時は最新の順位を、割込表示処理時は走破タイムに対応した順位を、それぞれ表示する。
第３の表示部５３は、制御装置４のセレクタ４６が選択した付加情報を出力部４７を介して受け取り、通常時はビハインドリーダタイムを、割込表示処理時は走破タイムを、それぞれ表示する。
【００２８】
このような構成のタイム計測システム１において、スタータがスタートピストルＳＰを発砲することにより競技が開始され、タイム計測が開始される。そして、競技者が計測地点を通過する度に計時員がグリップスイッチ３の第１のスイッチＧを押すことにより、各競技者の走破タイムと順位とが取得され、表示盤５の表示内容が更新される。
以下、図４及び図５に示すフローチャートを参照して、グリップスイッチ３の第１のスイッチＧが押されることで実行される、第２の表示部５２と第３の表示部５３に表示する情報を決定するための、表示情報決定処理の手順を説明する。
なお、第１の表示部５１の表示内容については、表示情報決定処理によらず、第１のタイムカウンタ４３のカウント値を表示する。
【００２９】
競技の開始に先立ち、第１のタイムカウンタ４３、第２のタイムカウンタ４４、及び、着順カウンタ４５はいずれもリセットされ、カウント値はいずれも０となっている。また、ＣＰＵ４２は、メモリ４８に割込中フラグ用の領域を確保し、割込中フラグを０に設定する。また、ＣＰＵ４２は、メモリ４８に割込表示情報を表示する期間であるＮを格納する領域を確保し、設定値を記憶する。また、ＣＰＵ４２は、セレクタ４６に通常表示情報を選択させるように制御する。
【００３０】
そして、スタータがスタートピストルＳＰを発砲することにより、スタートピストルＳＰからトリガ装置２へスタート信号が送出される。スタート信号を受け取ったトリガ装置２は、制御装置４にタイム計測開始のトリガとなるトリガ信号を供給する。トリガ信号を受け取った制御装置４の第１のタイムカウンタ４３はカウントを開始し、タイム計測が開始され、表示盤５の第１の表示部５１にランニングタイムが表示される。
また、スタートピストルＳＰの発砲により、競技が開始される。
【００３１】
競技が進行すると、各競技者は計測地点（例えば、５ｋｍ地点、１０ｋｍ地点、…、ゴール地点）に到達する。計時員は、競技者が計測地点を通過する度に、グリップスイッチ３の第１のスイッチＧを押す。
グリップスイッチ３の第１のスイッチＧが押されることにより発生する第１のパルス信号が制御装置４に供給されると、制御装置４の入力部４１はＣＰＵ４２に対し割込信号を供給する。これによりＣＰＵ４２は、表示情報決定処理が開始する。
また、制御装置４に供給される第１のパルス信号が、タイム計測開始後、最初のものである場合には、当該第１のパルス信号に応答して第２のタイムカウンタ４４はビハインドリーダタイムのカウントを開始する。
【００３２】
図４に示すように、表示情報決定処理が開始されると、ＣＰＵ４２は、着順カウンタ４５を＋１する（ステップＳ１０）。次に、ＣＰＵ４２は、第１のタイムカウンタ４３から第１のパルスが供給された時間を示すタイム情報（走破タイム）を、着順カウンタ４５から順位情報を取得し、両者を対応付けてメモリ４８に記憶する（ステップＳ１１）。
その後、ＣＰＵ４２は、メモリ４８に保持されている割込中フラグの値を取得する（ステップＳ１２）。フラグの値が１の場合（ステップＳ１２；Ｙｅｓ）、表示情報決定処理は終了となる。一方、フラグの値が０の場合（ステップＳ１２；Ｎｏ）、割込表示処理を実行する（ステップＳ１３）。
【００３３】
図５に示すように、割込表示処理が開始されると、ＣＰＵ４２は、メモリ４８にアクセスし、割込中フラグを１に設定する（ステップＳ１３１）。次に、ＣＰＵ４２は、出力部４７を介して、ステップＳ１１で取得したタイム情報と順位情報を割込表示情報としてセレクタ４６に供給する。そしてＣＰＵ４２は、セレクタ４６に割込表示情報を選択させる。これにより、セレクタ４６から出力部４７を介して割込表示情報が表示盤５に供給される。表示盤５は第２の表示部５２にステップＳ１１で取得した順位情報を表示し、第３の表示部５３にステップＳ１１で取得したタイム情報を表示する（ステップＳ１３２）。そして、ＣＰＵ４２は、定期的（例えば０．０１秒毎）に第１のタイムカウンタ４３からランニングタイムを取得し、取得したランニングタイムがステップＳ１１で取得した走破タイムからＮ秒経過したか否かを判定する（ステップＳ１３３）。Ｎ秒経過していない場合には（ステップＳ１３３；Ｎｏ）、再びランニングタイムを取得し、ステップＳ１３３の判定を行う。一方、Ｎ秒経過していた場合には（ステップＳ１３３；Ｙｅｓ）、割込中フラグを０に設定する（ステップＳ１３４）。
【００３４】
このように、割込表示処理の実行中は割込中フラグが１に設定されるため、割込表示中に競技者が計測地点を通過しグリップスイッチ３が押されても、その競技者の走破タイムとそれに対応する順位とは第３の表示部５３及び第２の表示部５２には表示されない。
【００３５】
次に、ＣＰＵ４２は、セレクタ４６に通常表示情報を選択させる（ステップＳ１３５）。これにより、表示盤５には通常表示情報が供給される。すなわち、第２の表示部５２には、最新の順位情報が表示され、第３の表示部５３には、ビハインドリーダタイムが表示される。
以上で割込表示処理が終了する。
また、図４に戻り、表示情報決定処理も終了する。
【００３６】
上記の手順により、第１のスイッチＧが押されてから所定のＮ秒間、表示盤５の第２の表示部５２には、第１のスイッチＧが押されたときに計測地点を通過した競技者の順位が表示され、第３の表示部５３には、第１のスイッチＧが押されたときに計測地点を通過した競技者の走破タイムが表示される。そして、第１のスイッチＧが押されてからＮ秒経過後は、第２の表示部５２には最新の順位（既に計測地点を通過した最後の競技者の数）が表示され、第３の表示部５３にはビハインドリーダタイムが表示される。
【００３７】
なお、本実施の形態では、表示情報決定処理は、上記の手順が並列的に複数事項されることが可能なソフトウエアにより実現されているものとして説明したが、表示情報決定処理の手順は上記手順と同様の結果が得られるものであれば、上記手順と異なっていてもよい。
【００３８】
図３を参照して、表示盤５の表示内容について具体的に説明する。
図３（ａ）はランニングタイムが１：０８．２９の時刻に第２位の競技者が計測地点を通過し、第１のスイッチＧが押され、その後４秒経過したときの表示盤５の状態を示す。なお、第１位の競技者は３分５４秒前に計測地点を通過しており、第２位の競技者から１秒遅れて第３位の競技者が計測地点を通過し、第４位の競技者はまだ計測地点を通過していないものとする。
このとき、ＣＰＵ４２は割込表示処理中であり、セレクタ４６に割込表示情報を選択させている。このため、図３（ａ）に示すように、表示盤５の第１の表示部５１には、ランニングタイムである１：０８．３３が、第２の表示部５２には第２位の競技者の順位である００２が、第３の表示部５３には第２位の競技者の走破タイムである１：０８．２９が、それぞれ表示される。
【００３９】
それから１秒経過すると、ＣＰＵ４２は割込表示処理を終え、セレクタ４６に通常表示情報を選択させる。このため、図３（ｂ）に示すように、表示盤５の第１の表示部５１には、ランニングタイムである１：０８．３４が、第２の表示部５２には最新の順位である００３が、第３の表示部５３にはビハインドリーダタイムである０：０３：５９が、それぞれ表示される。
【００４０】
このように、制御装置４が表示情報決定処理によって、走破タイムと走破タイムに対応した順位からなる割込表示情報と、ビハインドリーダタイムとその時点の順位情報からなる通常表示情報とを切り替えて表示させるため、視認性を低下させることなく、競技者や観衆にとって有用なビハインドリーダタイムや走破タイムを表示することができる。
【００４１】
本実施の形態では、第３の表示部５３に表示する付加情報として、走破タイムとビハインドリーダタイムとを切り替えて表示し、第２の表示部５２に表示する順位情報として、走破タイムに対応する順位情報と最新の順位情報とを切り替えて表示したが、第３の表示部５３には常にビハインドリーダタイムを表示し、第２の表示部５２には常に最新の順位情報を表示するようにしてもよい。
【００４２】
本実施の形態では、走破タイム表示後、Ｎ秒の期間内に計測地点を通過した競技者の走破タイムは表示されない場合を例に説明したが、ある競技者の走破タイムの表示中に他の競技者が計測地点を通過した場合には、当該ある競技者の走破タイムの表示を中止して、当該他の競技者の走破タイムを表示するようにしてもよい。
【００４３】
本実施の形態では、スイッチとして手動のスイッチを採用した場合を例に説明したが、本発明は、他のスイッチ（例えば、光電スイッチ等）を用いたタイム計測システム及び表示制御システムにも適用できる。
【００４４】
本実施の形態では、制御装置がＣＰＵ、メモリ、記憶装置等から構成される場合を例に説明したが、本発明は、ＣＰＵ等を用いずに構成された制御装置を有するタイム計測システム及び表示制御システムにも適用できる。
【００４５】
本実施の形態では、制御装置の出力部が、表示盤の各表示部に表示させる情報を各表示部が受け取れる形式に変換して出力する構成を例に説明したが、本発明は、表示盤が各表示部に表示させる情報を各表示部が受け取れる形式に変換する表示制御手段を有する構成の制御装置であるタイム計測システム、表示制御システム、及び、表示盤にも適用できる。
【図面の簡単な説明】
【００４６】
【図１】実施の形態におけるタイム計測システムの構成を示すブロック図である。
【図２】実施の形態における制御装置の構成を示すブロック図である。
【図３】実施の形態における表示盤の構成と表示内容を示す平面図である。
【図４】表示情報決定処理の手順を示すフローチャートである。
【図５】割込表示処理の手順を示すフローチャートである。
【符号の説明】
【００４７】
１    タイム計測システム
２    トリガ装置
３    グリップスイッチ
４    制御装置
５    表示盤
４１    入力部
４２    ＣＰＵ
４３    第１のタイムカウンタ
４４    第２のタイムカウンタ
４５    着順カウンタ
４６    セレクタ
４７    出力部
４８    メモリ
４９    記憶部
５１    第１の表示部
５２    第２の表示部
５３    第３の表示部
Ｇ    第１のスイッチ
ＲＥ    第２のスイッチ
ＳＰ    スタートピストル
【図１】
2006119720.tif 000003
【図２】
2006119720.tif 000004
【図３】
2006119720.tif 000005
【図４】
2006119720.tif 000006
【図５】
2006119720.tif 000007